(57)【要約】      （修正有）【課題】コンクリート壁面に取り付けられた注入器具における補修材の残量を確認する作業効率が向上する補修材の注入器具を提供する。【解決手段】下面に補修材注入口１６が開口し、上面１２３の開口部１２４に弾性シート１１が配置されるひび割れ補修材の注入器具１である。注入器具は補修材注入口へ連通する補修材供給部１３を備える。補修材供給部は上面から突出する。補修材供給部の高さ方向に複数の段部が形成される。複数の段部は第１段部１３２と第２段部１３３である。複数の段部と膨出した弾性シートの高さとを比較することにより注入器具内に残っている補修材の残量を把握することができ、施工担当者の作業効率が向上する。【選択図】図１
0003216439.tif 000002
【実用新案登録請求の範囲】
【請求項１】
下面（１０１）に補修材注入口（１６）が開口し、
上面（１２３）の開口部（１２４）に弾性シート（１１）が配置されるひび割れ補修材の注入器具であって、
前記補修材注入口へ連通する補修材供給部（１３）が前記上面から突出し、
前記補修材供給部の高さ方向に複数の段部（１３２，１３３）が形成されることを特徴とする、ひび割れ補修材の注入器具。
【請求項２】
請求項１に記載のひび割れ補修材の注入器具において、
前記下面を構成する台座（１０）と、
前記上面を構成しかつ前記弾性シートの周縁（１１１）を前記台座とで挟持する固定リング（１２）と、
をさらに含み、
前記固定リングは、前記開口部を形成する環状の開口縁（１２２）と、前記開口部に隣接する前記補修材供給部（１３）と、を備えることを特徴とする、ひび割れ補修材の注入器具。
【請求項３】
請求項１または請求項２に記載のひび割れ補修材の注入器具において、
複数の前記段部は第１段部と第２段部とからなり、
前記第１段部の高さまで前記弾性シートが膨出したときの補修材の容量である第１容量は、前記補修材供給部の頂部の高さまで前記弾性シートが膨出したときの補修材の容量である第３容量の１／３であり、
前記第２段部の高さまで前記弾性シートが膨出したときの補修材の容量である第２容量は、前記第３容量の２／３であることを特徴とする、ひび割れ補修材の注入器具。
【考案の詳細な説明】
【技術分野】
【０００１】
本考案は、コンクリート等の構造物のひび割れ補修工事に用いる補修材の注入器具に関する。
【背景技術】
【０００２】
コンクリート等の構造物のひび割れに補修材を注入するための注入器具は知られている。例えば、弾性シートを補修材で膨らませ、弾性シートが収縮するときの復元力を利用して補修材をひび割れに注入するものであって、弾性シートを台座と固定リングで挟持し、補修材注入口を当該台座に設けたものが知られている（特許文献１〜５）。
【先行技術文献】
【特許文献】
【０００３】
【特許文献１】特開平６−４２１９５号公報
【特許文献２】特開平９−３２３０８号公報
【特許文献３】特開２００４−３６０３２９号公報
【特許文献４】特開２００５−２００８７８号公報
【特許文献５】実用新案登録第３１４０１４４号公報
【考案の概要】
【考案が解決しようとする課題】
【０００４】
従来の注入器具は、注入器具内に残っている補修材の残量がどの程度であるかを把握しにくいという問題があった。そのため、施工担当者はコンクリートの壁面に多数取り付けられた注入器具に特殊なゲージを当てて補修材の残量を確認することになり、作業効率の向上が求められている。
【課題を解決するための手段】
【０００５】
本考案は上述の課題の少なくとも一部を解決するためになされたものであり、以下の態様または適用例として実現することができる。
【０００６】
［１］  本考案に係るひび割れ補修材の注入器具の一態様は、
下面（１０１）に補修材注入口（１６）が開口し、
上面（１２３）の開口部（１２４）に弾性シート（１１）が配置されるひび割れ補修材の注入器具であって、
前記補修材注入口へ連通する補修材供給部（１３）が前記上面から突出し、
前記補修材供給部の高さ方向に複数の段部（１３２，１３３）が形成されることを特徴とする。
【０００７】
［２］  前記ひび割れ補修材の注入器具の一態様において、
前記下面を構成する台座（１０）と、
前記上面を構成しかつ前記弾性シートの周縁（１１１）を前記台座とで挟持する固定リング（１２）と、
をさらに含み、
前記固定リングは、前記開口部を形成する環状の開口縁（１２２）と、前記開口部に隣接する前記補修材供給部（１３）と、を備えることができる。
【０００８】
［３］  前記ひび割れ補修材の注入器具の一態様において、
複数の前記段部は第１段部と第２段部とからなり、
前記第１段部の高さまで前記弾性シートが膨出したときの補修材の容量である第１容量は、前記補修材供給部の頂部の高さまで前記弾性シートが膨出したときの補修材の容量である第３容量の１／３であり、
前記第２段部の高さまで前記弾性シートが膨出したときの補修材の容量である第２容量は、前記第３容量の２／３であることができる。
【考案の効果】
【０００９】
本考案に係るひび割れ補修材の注入器具によれば、補修材供給部の高さ方向に複数の段部と膨出した弾性シートの高さとを比較することにより注入器具内に残っている補修材の残量を把握することができるため、施工担当者の作業効率が向上する。
【図面の簡単な説明】
【００１０】
【図１】本実施態様に係る補修材の注入器具の斜視図である。
【図２】本実施態様に係る補修材の注入器具の斜視図である。
【図３】本実施態様に係る補修材の注入器具の断面図である。
【図４】補修材の注入器具の使用状態を示す断面図である。
【考案を実施するための形態】
【００１１】
以下、本考案の好適な実施形態について、図面を用いて詳細に説明する。なお、以下に説明する実施形態は、実用新案登録請求の範囲に記載された本考案の内容を不当に限定するものではない。また、以下で説明される構成の全てが本考案の必須構成要件であるとは限らない。
【００１２】
１．補修材の注入器具
本考案の一実施形態に係るひび割れ補修材の注入器具１（以下単に「注入器具１」という）について図１〜図３を参照しながら説明する。図１及び図２は本実施態様に係る注入器具１の斜視図であり、図３は本実施態様に係る注入器具１の断面図である。
【００１３】
図１〜図３に示すように、注入器具１は、上面１２３及び下面１０１を有する略平板状である。注入器具１は、下面１０１に補修材注入口１６が開口し、上面１２３の開口部１２４に弾性シート１１が配置される注入器具１である。なお、本明細書において、「上」、「下」は図３のように補修材注入口１６を下にした状態で各部位の相対位置を便宜的に説明するものであり、注入器具１の上下の配置を限定するものではない。
【００１４】
注入器具１は、補修材注入口へ連通する補修材供給部１３を有する。補修材供給部１３は、上面１２３から突出する。補修材供給部１３の高さ方向に複数の段部、例えば２つの第１段部１３２と第２段部１３３とが形成される。複数の段部は、膨出する弾性シート１１の高さを判断する目安にすることができる。膨出する弾性シート１１の「高さ」とは、使用前の注入器具１における平坦な弾性シート１１の表面を基準面として、その平坦な弾性シート１１に直交する方向における膨出した弾性シート１１の最も基準面から遠い位置までの距離である。
【００１５】
図２に示すように、注入器具１は、下面１０１を構成する台座１０と、上面１２３を構成しかつ弾性シート１１の周縁であるシート周縁１１１を台座１０とで挟持する固定リング１２と、を含む。台座１０及び固定リング１２の材質は限定されないが、軽量で補修材の注入時に変形しない高い剛性を有する合成樹脂製であることが好ましい。
【００１６】
図１に示すように、固定リング１２は、開口部１２４を形成する環状の開口縁１２２と、当該開口に隣接する補修材供給部１３と、を備える。開口部１２４は弾性シート１１が補修剤の注入時の圧力で上面１２３よりも高く膨出することを可能とする。固定リング１
２は、平面視がいわゆる小判型であり、換言すると長方形の両端に半円を延在させた形状を有している。開口縁１２２も固定リング１２の外形より小さな小判型である。開口縁１２２の内側には弾性シート１１が開口部１２４の全体を覆うように配置される。
【００１７】
図２に示すように、台座１０は、固定リング１２に対向して配置され、固定リング１２に対してお互いの周縁を例えば接着剤で接合して一体化する。台座１０は、平面視が固定リング１２の外形と同じいわゆる小判型である。台座１０の中心付近には台座１０の長手方向に延びる補修材注入口１６が開口する。施工時には、台座１０はコンクリートの壁面等に接着剤を介して接着される。
【００１８】
弾性シート１１は、台座１０と固定リング１２との間に挟持されて固定される。弾性シート１１は、天然ゴム、合成ゴム、熱可塑性エラストマーなどの弾性材料で成形される。例えば、シリコーンゴムを用いることができる。弾性シート１１は固定リング１２の開口部１２４よりも大きな外径を有する。弾性シート１１のシート周縁１１１は、台座１０と固定リング１２との間に形成されるリング周溝１２１内に挟み込まれて固定される。
【００１９】
弾性シート１１は補修材が補修材導入口１３１から注入されると補修材供給路１５を経由して弾性シート１１と補修材注入口１６との間に導入され、図３の一点鎖線で示すように補修材の圧力により伸ばされて開口縁１２２の内側からドーム状に膨出する。弾性シート１１はその膨出による変形の復元力（弾性シート１１がドーム状から平板に戻ろうとする力）により補修材をコンクリートなどのひび割れの中に注入する圧力を発生させる。
【００２０】
補修材供給部１３は、固定リング１２と一体に形成される。補修材供給部１３は、固定リング１２の長手方向の一方の端部付近の上面１２３から鉛直方向に突出する。補修材供給部１３は、略円筒状であって、その先端の頂部１３４から補修材を内部に導入する補修材導入口１３１を有する。補修材供給部１３は頂部１３４から上面１２３に向かって徐々に拡径する略円錐台形状であってもよい。
【００２１】
本実施形態において補修材供給部１３の複数の段部は第１段部１３２と第２段部１３３とからなるがこれに限られるものではなく、３つ以上の段部を備えてもよい。例えば第１段部１３２の高さまで弾性シート１１が膨出したときの補修材の容量である第１容量は、補修材供給部１３の頂部１３４の高さまで弾性シート１１が膨出したときの補修材の容量である第３容量の１／３であることができる。第２段部１３３の高さまで弾性シート１１が膨出したときの補修材の容量である第２容量は、第３容量の２／３であることができる。このように段部の高さを補修材の残量に関連して設定することで、施工担当者は膨出している弾性シート１１の高さを段部と比較することにより注入器具１内に残っている補修材の残量を容易に把握することができる。これにより、施工担当者の作業効率が向上する。
【００２２】
補修材供給部１３の内部には逆止弁１４が配置される。逆止弁１４は、台座１０の突条１４３に当接するスプリング１４２に付勢されて補修材供給部１３の弁座１４１に接触して補修材導入口１３１を塞いでいる。補修材が補修材導入口１３１から注入されると、スプリング１４２を圧縮して逆止弁１４を押し下げることで補修材供給路１５へ補修材が流れる。
【００２３】
補修材供給路１５は、補修材導入口１３１と補修材注入口１６とを連通する流路である。補修材導入口１３１から注入器具１へ導入された補修材は逆止弁１４を押し下げて補修材供給路１５を通り、補修材注入口１６へと流れる。
【００２４】
２．補修材の注入器具の使用方法
図４を用いてコンクリート２の壁面に生じたひび割れ３に補修材を注入する場合の注入器具１の使用方法について説明する。図４は補修材の注入器具１の使用状態を示す断面図である。
【００２５】
ひび割れ３がコンクリート２の内部まで伸びており、ひび割れ３の開口に注入器具１を接着剤４で貼り付ける。貼付に際して、ひび割れ３と補修材注入口１６とを一致させる。接着剤４は補修材注入口１６の周囲に塗布する。コンクリート２の表面及びひび割れ３は接着前に清掃しておくことが好ましい。
【００２６】
補修材５を図示しないグリスガンで補修材導入口１３１から注入器具１内へ導入する。グリスガンによる押し圧力で補修材５は逆止弁１４を押し下げ、補修材供給路１５に流れる。補修材供給路１５を流れた補修材５は一部がひび割れ３へ注入されると同時に弾性シート１１を延ばして固定リング１２の開口部１２４から弾性シート１１がドーム状に膨出する。施工担当者は、例えば弾性シート１１が補修材供給部１３の頂部１３４の高さになるまでグリスガンで補修材５を注入器具１に導入する。グリスガンによる補修材５の導入をやめると、逆止弁１４がスプリング１４２の付勢力により弁座１４１に当接するまで移動し、補修材５の逆流を防止する。
【００２７】
弾性シート１１は弾性による復元力で収縮して補修材５をひび割れ３に徐々に注入する。施工担当者は弾性シート１１の高さと補修材供給部１３の段部とを比較して、補修材５の注入器具１内の残量を把握する。第１段部１３２の高さまで弾性シート１１の高さが低くなっていれば注入器具１の最大容量である第３容量（例えば３０ｍｌ）の例えば１／３の残量である第１容量（例えば１０ｍｌ）であると判断し、第２段部１３３の高さまで弾性シート１１の高さが低くなっていれば注入器具１の最大容量の例えば２／３の残量である第２容量（例えば２０ｍｌ）であると判断できる。図４では第１段部１３２の高さまで弾性シート１１の高さが低くなっているので、注入器具１内の補修材５の残量は第１容量であることがわかる。
【００２８】
ひび割れ３に注入した補修材５が硬化した後、注入器具１をコンクリート２の壁面からはがし、壁面をサンダー等で仕上げる。
【００２９】
施工担当者は、注入器具１内の残量を把握することでひび割れ３に補修材５が確実に注入できたことを判断することができる。
【００３０】
本考案は、上述した実施形態に限定されるものではなく、さらに種々の変形が可能である。例えば、本考案は、実施形態で説明した構成と実質的に同一の構成（例えば、機能、方法、及び結果が同一の構成、あるいは目的及び効果が同一の構成）を含む。また、本考案は、実施形態で説明した構成の本質的でない部分を置き換えた構成を含む。また、本考案は、実施形態で説明した構成と同一の作用効果を奏する構成又は同一の目的を達成することができる構成を含む。また、本考案は、実施形態で説明した構成に公知技術を付加した構成を含む。
【符号の説明】
【００３１】
１…注入器具、２…コンクリート、３…ひび割れ、４…接着剤、５…補修材、１０…台座、１０１…下面、１１…弾性シート、１１１…シート周縁、１２…固定リング、１２１…リング周溝、１２２…開口縁、１２３…上面、１２４…開口部、１３…補修材供給部、１３１…補修材導入口、１３２…第１段部、１３３…第２段部、１３４…頂部、１４…逆止弁、１４１…弁座、１４２…スプリング、１４３…突条、１５…補修材供給路、１６…補修材注入口
【図１】
0003216439.tif 000003
【図２】
0003216439.tif 000004
【図３】
0003216439.tif 000005
【図４】
0003216439.tif 000006